(57)【要約】【課題】線材のシェービングによって生じる切り屑を強制的に分断することができるシェービング工具を提供する。【解決手段】線材の表層を切削するシェービングダイス１において、線材が挿通されて該線材の表層を切削する環状の切刃２と、切刃２の周囲であって、切刃２によって切削された線材の表層と接触する位置に設けられた複数の突起５と、を備える。ここで、複数の突起５を、切刃２の刃先から突起５までの距離を突起距離としたときに、この突起距離が切削された線材の表層の厚みの１１０％以下となる位置に設ける。【選択図】図１
2014217918.tif 000002
【特許請求の範囲】
【請求項１】
線材の表層を切削するシェービング工具であって、
前記線材が挿通されて該線材の表層を切削する環状の切刃と、
前記切刃の周囲であって、前記切刃によって切削された前記線材の表層と接触する位置に設けられた複数の突起と、
を備えることを特徴とするシェービング工具。
【請求項２】
前記複数の突起は、前記切刃の刃先から前記突起までの距離を突起距離としたときに、前記突起距離が前記切削された線材の表層の厚みの１１０％以下となる位置に設けられることを特徴とする請求項１に記載のシェービング工具。
【請求項３】
前記複数の突起は、前記切刃の刃先から前記突起までの距離を突起距離としたときに、前記突起距離が５０μｍ以上１１０μｍ以下となる位置に設けられることを特徴とする請求項１に記載のシェービング工具。
【請求項４】
前記複数の突起は、隣り合う前記突起の一方と他方を前記環状の切刃の中心から見たときの当該中心周りの角度が１０°以上４０°以下となる位置に間隔を空けて設けられることを特徴とする請求項２又は３に記載のシェービング工具。
【請求項５】
前記複数の突起は、前記突起距離が同一となる位置であって且つ前記環状の切刃の周方向に沿って等間隔を空けて設けられていることを特徴とする請求項４に記載のシェービング工具。
【発明の詳細な説明】
【技術分野】
【０００１】
本発明は、鋼線材の表面を切削するシェービング工具に関する。
【背景技術】
【０００２】
熱間圧延工程終了後の鋼線材（以下、単に線材という）の表面には、スケールや圧延疵などの欠陥が残留していることがある。この欠陥を原因として、線材の表面には多数の凹凸が存在することが多い。
そこで、線材の製造工程において、凸凹の表面を滑らかにして線材の表面品質を改良することを目的として、シェービング工具によって線材の全周にわたってその表面層（表層）を切削除去するシェービングが行われている。このシェービングは、皮むきとも称される線材の仕上げ工程であり、切削用の切刃を備えたダイスに線材を通過させることで線材の表面が削り取られる。このシェービングによって、線材の表面疵が除去され、線材の金属光沢が増加する。
【０００３】
このようなシェービングに関する技術は、特許文献１及び特許文献２に開示されるように様々に開発されている。
特許文献１に開示の線材のシェービング方法は、ノズルの向きが調整されうる複数の噴射装置を、互いに異なる位置に固定し、これら複数の噴射装置からダイスの刃先に冷却液を噴射しながらシェービングすることを特徴とするものである。
【０００４】
また、特許文献２に開示のシェービングダイスは、重量比でＣ １.８〜２.３％、Ｓi １.０％以下、Ｍｎ １.０％以下、Ｃr ３〜６％、Ｗ ８〜１５％、Ｍｏ ５〜１０％(ただ
し、Ｗ＋２Ｍｏ ２４〜３０％)、Ｖ ４.５〜８％、Ｃｏ ７〜１３％、Ｎ ０.０２〜０.１％、残部がＦｅおよび不可避的不純物からなる粉末高速度工具鋼でなることを特徴とするものである。
【先行技術文献】
【特許文献】
【０００５】
【特許文献１】特開２００７−２８３４３２号公報
【特許文献２】特開平５−２２８７２９号公報
【発明の概要】
【発明が解決しようとする課題】
【０００６】
特許文献１のシェービング方法は、ダイスの刃先の損傷を抑制することを目的として、複数の噴射装置からダイスの刃先に冷却液を噴射することで、シェービング中のダイスを冷却し発熱を抑制しようとするものである。このように、特許文献１のシェービング方法は、ダイスの刃先に冷却液を直接当てる強制冷却装置を必要とするものであり、このシェービング方法を実現する装置の構成は複雑となり、ダイスの冷却を伴うシェービングの動作は煩雑なものとなる。
【０００７】
また、特許文献２のシェービングダイスは、銅や銅合金をはじめとする比較的軟質の金属線用のシェービングダイスに要求される耐摩耗性と靭性を備えることを目的としたものである。このシェービングダイスは、従来必須とされていたコーティングを必ずしも必要とせず、線材に対するすくい角を４０〜５０°とし、線材からの逃げ角を３〜１０°とすることによって、シェ−ビングの際の切削力による欠けや割れが発生しないような刃先強度を確保し、かつ切粉の排出を滑らかにしようとするものである。
【０００８】
このように、特許文献２は、主として工具摩耗の観点から、銅や銅合金などの比較的軟質の金属線を対象としたシェービングダイスの刃先形状を開示しており、銅や銅合金よりも硬質の鋼線材を対象とはしていない。
しかし、いずれの特許文献に開示の技術を用いても、生産性を向上させるためにダイスを通す線材の速度を高くすると切削熱が増加するので、切削により生じた切り屑はテープ状に柔らかく伸びた状態となって分断しにくくなる。柔らかく分断しにくい切り屑は、連続につながった長い切り屑となって線材の周りに巻き付くので、シェービング時にダイスに噛み込んでダイスを破損することがある。これに加えて、線材の周りに巻き付いた切り屑を排出するためにシェービングの工程を頻繁に停止させなくてはならず、線材の生産性を低下させる原因となっている。
【０００９】
そこで本発明は、線材のシェービングによって生じる切り屑を強制的に分断することができるシェービング工具を提供することを目的とする。
【課題を解決するための手段】
【００１０】
上述の目的を達成するため、本発明においては以下の技術的手段を講じた。
本発明に係るシェービング工具は、線材の表層を切削するシェービング工具であって、前記線材が挿通されて該線材の表層を切削する環状の切刃と、前記切刃の周囲であって、前記切刃によって切削された前記線材の表層と接触する位置に設けられた複数の突起と、を備えることを特徴とする。
【００１１】
好ましくは、前記複数の突起は、前記切刃の刃先から前記突起までの距離を突起距離としたときに、前記突起距離が前記切削された線材の表層の厚みの１１０％以下となる位置に設けられるとよい。
好ましくは、前記複数の突起は、前記切刃の刃先から前記突起までの距離を突起距離としたときに、前記突起距離が５０μｍ以上１１０μｍ以下となる位置に設けられるとよい。
【００１２】
好ましくは、前記複数の突起は、隣り合う前記突起の一方と他方を前記環状の切刃の中心から見たときの当該中心周りの角度が１０°以上４０°以下となる位置に間隔を空けて設けられるとよい。
好ましくは、前記複数の突起は、前記突起距離が同一となる位置であって且つ前記環状の切刃の周方向に沿って等間隔を空けて設けられているとよい。
【発明の効果】
【００１３】
本発明によるシェービング工具によれば、線材のシェービングによって生じる切り屑を強制的に分断することができる。
【図面の簡単な説明】
【００１４】
【図１】本発明の実施形態によるシェービングダイスの構成を示す図であり、（ａ）はシェービングダイスの正面図と断面図を示し、（ｂ）はシェービング中のシェービングダイスの状態を示す。
【図２】従来のシェービングダイスの構成を示す図であり、（ａ）はシェービングダイスの正面図と断面図を示し、（ｂ）はシェービング中のシェービングダイスの状態を示す。
【発明を実施するための形態】
【００１５】
以下、図面を参照しながら、本発明の実施形態について説明する。なお、以下に説明する実施形態は、本発明を具体化した一例であって、本発明の構成をその具体例のみに限定するものではない。従って、本発明の技術的範囲は、本実施形態の開示内容のみに限定されるものではない。
本発明の実施形態によるシェービング工具を説明する前に、図２を参照して鋼線材のシェービングについて概略を説明する。
【００１６】
図２は、従来から用いられているシェービング工具であるシェービングダイス１０の構成を示す図である。図２（ａ）は、紙面に向かって左側に、円柱形状のシェービングダイス１０を軸心方向に沿って見たときの正面図（貫通孔が貫通状に見える方向で見た図）を示し、同じく右側に、シェービングダイス１０を軸心を含む平面で切断したときの断面図（側面断面図）を模式的に示す。また、図２（ｂ）は、シェービング中のシェービングダイス１０及び切り屑１１の状態を、シェービングダイス１０の切刃１２側から見たときの正面図を模式的に示す。
【００１７】
鋼線材（以下、単に線材という）１３は、例えば、吊橋用のワイヤーケーブルやバネ等に用いられる金属線であって、ステンレス鋼、あるいは銅や銅合金などからなる。熱間圧延工程の終了直後の線材では、表面にスケールや圧延疵などの欠陥が残留していることがある。このような、表面に欠陥を有する線材１３の表面層（表層）を、例えば数十〜数百μｍ程度の厚みで全周にわたって切削（皮むき）して除去することで、線材１３の凸凹の表面を滑らかにして該線材１３の表面品質を改良することができる。線材１３の表層の切削（皮むき）をシェービングともいい、このシェービングにはシェービング工具であるシェービングダイス１０が用いられる。
【００１８】
図２に示す従来のシェービングダイス１０は、例えば円柱形状の外形で直径よりも小さな高さを有するダイス状の部材である。円柱形状のシェービングダイス１０は、該シェービングダイス１０の軸心に沿って形成された貫通孔を有し、貫通孔とシェービングダイス１０はほぼ同心である。この貫通孔は、一方の開口の周縁部分に環状の切刃１２を形成している。
【００１９】
図２（ａ）に示すように、線材１３の供給装置（図示せず）がシェービングダイス１０へ線材１３を供給し、供給された線材１３を切刃１２が形成された開口から貫通孔に挿通させると、線材１３は、シェービングダイス１０を挟んで供給装置の反対側に配置された線材１３の巻取装置（図示せず）によって巻き取られる。線材１３は、巻取り機による巻取りの牽引力によってシェービングダイス１０を通過し、環状の切刃１２がその表層を全周にわたって切削して表面欠陥を除去する。この一連のシェービング工程と呼ばれる線材１３の仕上げにおいて、シェービングダイス１０で切削された線材１３の表層は、薄いテープ状の切り屑１１となる。
【００２０】
図２（ｂ）は、テープ状の切り屑１１の状態を示しており、図２（ｂ）に示すように、従来のシェービングダイス１０では、不規則な形状でテープ状の切り屑１１が発生する。このテープ状の切り屑１１は、線材１３に絡み付く前に線材１３の周囲から除去されなくてはならないので、例えばシェービングダイス１０の周りを周回又は旋回する回転バーなどの、切り屑１１を取り除く装置によって分断されて除去される。
【００２１】
しかし、線材１３がシェービングダイス１０を通過する速度（線速）を高くすると、線材１３と切刃１２の摩擦による切削熱が増加するので、切削により生じた切り屑１１の温度が上昇する。温度が上昇した切り屑１１は、テープ状に柔らかく伸びた状態となって変形が容易となり分断しにくくなる。柔らかく分断しにくい切り屑１１は、連続につながった長い切り屑１１となって線材１３に巻き付くので、シェービング時にシェービングダイスの切刃１２に噛み込んでシェービングダイスを破損することがある。これに加えて、線材１３に巻き付いた切り屑１１を排出するためにシェービング工程を頻繁に停止させなくてはならず、線材１３の生産性を低下させる原因となる。
【００２２】
このような従来のシェービングダイス１０の代わりに、以下に説明する本実施形態によるシェービングダイス１を用いれば、線速を上昇させた場合でも切り屑は容易に分断されるので、切り屑の線材１３への巻付きを抑制することができる。
図１を参照して、本実施形態によるシェービングダイス１について説明する。
図１は、本実施形態によるシェービング工具であるシェービングダイス１の構成を示す図である。図１（ａ）は、紙面に向かって左側に、円柱形状のシェービングダイス１を軸心方向に沿って見たときの正面図（貫通孔が貫通状に見える方向で見た図）を示し、同じく右側に、上段で示したシェービングダイス１のＡーＡ線断面図（側面断面図）を模式的に示す。また、図１（ｂ）は、シェービング中のシェービングダイス１及び切り屑３の状態を、シェービングダイス１の切刃２側から見たときの正面図を模式的に示す。
【００２３】
図１に示すシェービングダイス１は、例えば円柱形状の外形で直径よりも小さな高さを有し、例えば、硬合金、高速度工具鋼又はセラミックスから形成されるダイス状の部材である。この円柱形状のシェービングダイス１は、該シェービングダイス１の軸心に沿ってシェービングダイス１とほぼ同心状に形成された貫通孔６、貫通孔６の一方の開口の周縁部分の全体にわたって形成された環状の切刃２、切刃２の周囲に形成されたすくい面４、及びすくい面４に形成された複数の突起５を有している。
【００２４】
図１（ａ）の正面図において、円形で示されるシェービングダイス１は、その円形の中心近傍に貫通孔６を有している。
貫通孔６は、図１（ａ）の断面図に示すように、シェービングダイス１の正面側から反対面である裏面側に向かって徐々に内径が大きくなった、いわゆる円錐台形状の空間を形成するものである。従って、貫通孔６の径が異なる２つの開口のうち、小径の開口はシェービングダイス１の正面側に形成され、大径の開口はシェービングダイスの背面側に形成される。
【００２５】
切刃２は、貫通孔６の小径の開口の周縁部分に、該周縁の全体にわたって形成されている。従って、切刃２は、環状に形成されるので、シェービングダイス１の正面側から貫通孔６に挿入される線材の表層を、全周にわたって同時に切削することができる。
ここで、切刃２で切削された線材は貫通孔６内を通過してシェービングダイス１の背面側へ移動するが、貫通孔６が円錐台形状に形成されているので、貫通孔６中の線材は、貫通孔６の壁面と平行にはならない。この貫通孔６の壁面を逃げ面ともいう。線材がシェービングダイスの背面側へ移動するほどに、線材と逃げ面との間の距離は大きくなる。このとき、線材と逃げ面がなす角を逃げ角といい、この逃げ角は、線材が貫通孔６の壁面と接触する二番当たりを回避するために必要である。
【００２６】
図１（ａ）に示すように、すくい面４は、環状の切刃２の周囲に同心状に形成され、切刃２のすくい角を規定する環状の面である。ここですくい角とは、切刃２で切削される線材の表面に対して垂直となる面に対するすくい面４の角度であり、すくい角の大きさは、切削抵抗や切り屑の厚み等、シェービングダイス１が発揮すべき特性や性能を考慮して決められる。
【００２７】
ここで、このようなすくい面４は、貫通孔６の逃げ面と交わる部分に切刃２を形成しているともいえる。このとき、すくい面４と貫通孔６の逃げ面が形成する角度、つまり、図１（ａ）に示す断面図における切刃２の角度は、鋭角でも鈍角でもかまわない。
なお、すくい面４の面積は任意であるが、本実施形態においては、少なくとも後述する突起５を形成するのに必要な面積が求められる。
【００２８】
複数の突起５は、環状の切刃２を取り囲むようにすくい面４上に配置されて、すくい面４の上方に向かって突出する。複数の突起５はいずれも、ほぼ同じ形状及び大きさを有する。
本実施形態のシェービングダイス１は、このすくい面４上に形成された複数の突起５に特徴を有するので、以下、複数の突起５の配置及び構成について詳細に説明する。
【００２９】
複数の突起５の各々は、ほぼ同じ形状及び大きさを有しており、例えば円柱や角柱又は球形状などを有し、すくい面４に配置されたときに凸状に突出する部材である。この突起５を、すくい面４上の適切な位置に複数個設けることで、切刃２で切削された切り屑３は突起５と接触又は衝突する。
図１（ｂ）に示すように、切り屑３は、この接触や衝突によって、強制的にカールされ（巻かれ）たり、切り屑３の幅方向に弧を描くように湾曲したりといった変形を起こす。切り屑３は、強制的にカールされると自ら分断しやすくなる。また、湾曲した切り屑３は剛性が向上するので、シェービングダイス１の周囲に設けられた回転バーで分断しやすくなり、短冊状に細かく分断しやすくなる。
【００３０】
このように切り屑３の分断を容易にするためには、すくい面４上の適切な位置に複数の突起５を配置しなくてはならない。そこで、本実施形態では、複数の突起５の配置について、突起距離Ｌ及び突起間隔θの２つのパラメータを用いて規定する。
突起距離Ｌは、図１（ａ）の断面図に示すように、切刃２の刃先から突起５までの距離である。突起５を配置する位置が変化して突起距離Ｌが変化すると、突起５への切り屑３の接触や衝突の状態が変化するので、切り屑３の分断に適した突起距離Ｌを、切削された表層の厚み（切り屑３の厚みとほぼ同じ）に対する比率として規定する。
【００３１】
突起距離Ｌが切削される表層の厚みの５０％未満になると、切刃２の先端と突起５との距離が近くなりすぎるので、切削直後の切り屑３の厚み方向の断面が突起５と干渉することとなる。切刃２の先端と突起５との距離が近すぎれば、切り屑３をカールさせたり湾曲させたりするといった突起５の効果を得られなくなる。
また、突起距離Ｌが切削される表層の厚みの１２０％以上になると、切刃２の先端と突起５との距離が遠くなりすぎるので、切削された切り屑３が、突起５に接触する前に湾曲してシェービングダイス１から遠ざかる。切刃２の先端と突起５との距離が遠すぎれば、切り屑３が突起５と接触できなくなり、突起５の効果を得られなくなる。
【００３２】
突起間隔θは、図１（ａ）の正面図に示すように、切刃２を取り囲むようにすくい面４上に配置された複数の突起５のうち、隣り合う突起５の一方と他方を環状の切刃２の中心から見たときの当該中心周りの角度である。具体的には、一方の突起５と切刃２の中心を結んだ直線と他方の突起５と切刃２の中心を結んだ直線とがなす角度が突起間隔θとなる。
【００３３】
突起間隔θを６０度（°）以上とすると、配置できる突起５の数が少なすぎるので、突起５に接触できない切り屑３が発生し、上述の突起５の効果を得ることが困難となる。また、突起間隔θを１０°未満とすると、突起５の数が多すぎるので、突起５と突起５の間に切り屑３が入り込む隙のない、いわば平滑なすくい面４の状態に近くなるので、突起５の効果を得ることが困難となる。
【００３４】
以上のような観点で設定した突起距離Ｌ及び突起間隔θにしたがって、すくい面４上に複数の突起５を設ければ、切り屑３を細かく分断することができる。これによって、切り屑３が線材に巻きつくことも、切刃２に噛み込むこともなくなるので、切刃２の欠けを抑制できる。加えて、細かく分断された切り屑３は、吸引もしくは搬出によって容易に除去することができるので、切り屑３を除去するためにシェービング工程を停止する必要がなくなり、生産性を向上させることもできる。
【実施例】
【００３５】
以下に、上述の実施形態で説明した突起５を備えていない従来のシェービングダイス（突起なし）を用いて線材を切削したときの結果と、突起５を備えたシェービングダイス（突起あり）を用いて切削したときの結果とを、実施例として説明する。下の表１は、「突起なし」の場合の結果と「突起あり」の場合の結果をまとめたものである。
【００３６】
【表１】
2014217918.tif 000003
【００３７】
まず、切削の対象となる材料について、径が４ｍｍで表面硬さがＨＶ１４０のＳＵＪ２鋼からなる線材を用意した。この線材の表層を厚み１００μｍだけ切削する超硬製のシェービングダイスを複数種類用意した。複数種類のシェービングダイスのうち、１種類は突起５が形成されていない「突起なし」のシェービングダイスとし、他の種類は、複数の突起５の突起距離Ｌと突起間隔θの組み合わせが様々に異なる「突起あり」のシェービングダイスとした。
【００３８】
線材をシェービングダイスに通過させる速度である線速を、「突起なし」のシェービングダイスにおいて８０ｍ/分及び１２０ｍ/分とし、「突起あり」のシェービングダイスにおいて１２０ｍ/分とした。
その結果、表１に示すように、「突起なし」のシェービングダイスについて、８０ｍ/分の線速では、切り屑は分断され、線材への巻付きは発生しなかった。
【００３９】
一方、「突起なし」のシェービングダイスについて、線速を１２０ｍ/分に上昇させると、切り屑は分断されず、線材への巻付きが発生した。シェービングダイスに突起がない場合、１２０ｍ/分の線速では、線材に対するシェービング加工は不可能であった。
そこで、「突起あり」のシェービングダイスについて、１２０ｍ/分の線速で、線材に対するシェービング加工を実施した。結果は、表１に示すとおりである。表１において、「突起あり」のシェービングダイスについての結果は、突起距離Ｌと突起間隔θの組み合わせについて示されている。各組み合わせについての結果は、記号「○」又は記号「×」で示されており、記号「○」は、切り屑が分断され、シェービング加工が良好であったことを示す。記号「×」は、切り屑が分断されず、シェービング加工が不良となったことを示す。
【００４０】
表１で記号「○」が付された組み合わせに着目すると、突起距離Ｌは、６０μｍ〜１００μｍの範囲で、シェービング加工が良好に行われたことがわかる。突起距離Ｌが１００μｍよりも大きい１２０μｍであるときは、シェービング加工が不良であり記号「×」が付されている。しかし、突起距離Ｌが１００μｍを超えればたちまちシェービング加工が不良となるわけではない。このことを踏まえて、本願の発明者は、適切な突起間隔θが保たれている限り、突起距離Ｌの上限として１１０μｍまで許容できることを既に確認している。
【００４１】
一方、突起距離Ｌが６０μｍを下回った場合でもたちまちシェービング加工が不良となるわけではない。上述したように、突起距離Ｌが切削される表層の厚みの５０％未満になると、切刃の先端と突起５との距離が近くなりすぎてシェービング加工が不良となる。つまり、突起距離Ｌが切削される表層の厚みの５０％である５０μｍより小さく（５０μｍ未満）になると、シェービング加工が不良となるが、本願の発明者は、適切な突起間隔θが保たれている限り、突起距離Ｌの下限として５０μｍまで許容できることを既に確認している。
【００４２】
以上の結果をまとめると、複数の突起５は、すくい面上において、突起距離Ｌが５０μｍ以上１１０μｍ以下となる位置に設けられると、１２０ｍ/分といった高い線速でもシェービング加工を良好に行うことができるといえる。切削される表層の厚みが１００μｍであるときに突起距離Ｌが１１０μｍ以下であればよいという本結果を、以下のように一般化することができる。つまり、複数の突起５は、突起距離Ｌが切削された線材の表層の厚みの１１０％以下となる位置に設けられるとよい。
【００４３】
次に、突起間隔θに関して、表１で記号「○」が付された組み合わせに着目すると、突起間隔θは、１５°〜３０°の範囲で、シェービング加工が良好に行われたことがわかる。突起間隔θが３０°よりも大きい４５°であるときは、シェービング加工が不良であり記号「×」が付されている。しかし、突起間隔θが３０°を超えればたちまちシェービング加工が不良となるわけではない。このことを踏まえて、本願の発明者は、適切な突起距離Ｌが保たれている限り、突起間隔θの上限として４０°まで許容できることを既に確認している。
【００４４】
一方、突起間隔θが１５°を下回った場合でもたちまちシェービング加工が不良となるわけではない。しかし、上述したように突起間隔θが１０°未満になると、突起５と突起５の間に切り屑が入り込む隙のない、いわば平滑なすくい面の状態に近くなってシェービング加工が不良となる。そこで、本願の発明者は、適切な突起距離Ｌが保たれている限り、突起間隔θの下限として１０°まで許容できることを確認した。
【００４５】
以上の結果をまとめると、複数の突起５は、すくい面上において、突起間隔θが１０°以上４０°以下となる位置に間隔を空けて設けられると、１２０ｍ/分といった高い線速でもシェービング加工を良好に行うことができるといえる。
以上のように、突起距離Ｌを５０μｍ以上１１０μｍ以下の範囲で選択し、且つ突起間隔θを１０°以上４０°以下の範囲で選択して複数の突起５を配置すると、これら複数の突起５は、突起距離Ｌが同一となる位置であって且つ環状の切刃の周方向に沿って等間隔を空けて設けられることになる。
【００４６】
このように配置された突起５を有するシェービングダイスは、高い線速で増加した切削熱によって切り屑の温度が上昇して、切り屑が柔らかく分断しにくくなった場合でも、連続につながった切り屑の線材への巻き付きを抑制することができ、かつ、切り屑を容易に分断することができる。これによって、高い線速でのシェービングにおいても、切り屑が切刃に噛み込むことで起こるシェービングダイスの破損や、線材に巻き付いた切り屑を排出するためのシェービング工程の停止を回避することができるので、高い線速での高い生産性を実現することができる。
【００４７】
ところで、今回開示された実施形態はすべての点で例示であって制限的なものではないと考えられるべきである。特に、今回開示された実施形態において、明示的に開示されていない事項、例えば、動作条件や測定条件、各種パラメータ、構成物の寸法、重量、体積などは、当業者が通常実施する範囲を逸脱するものではなく、通常の当業者であれば、容易に想定することが可能な値を採用している。
【符号の説明】
【００４８】
１    シェービングダイス
２    切刃
３    切り屑
４    すくい面
５    突起
６    貫通孔
【図１】
2014217918.tif 000004
【図２】
2014217918.tif 000005